(57)【要約】【課題】消費電力の異なる少なくとも２種類の外部記録媒体が装着されるデジタルカメラで、消費電力の大きい記憶媒体の動作時間を短縮して電力消費を抑制する。【解決手段】動画像を記録するとき２種類の外部記録媒体のうち消費電力の小さい方の外部記録媒体３５に動画像の記録を行い、外部記録媒体３５の記録データが所定容量になったとき、外部記録媒体３５の前記記録データを消費電力の大きい方の外部記録媒体３６に移動し、消費電力の小さい方の外部記録媒体３５に動画像の記録を継続する。好適には、記録データの前記移動を行っている最中に撮像された動画像データを内部メモリ１３に一時格納し、前記移動が終了した後に内部メモリ１３の格納データを消費電力の小さい方の外部記録媒体３５に移動し撮影を継続する。消費電力の大きい外部記録媒体３６が常時動作しないため、消費電力が低減される。【選択図】  図１
2004349810.tif 000002
【特許請求の範囲】
【請求項１】
消費電力の異なる少なくとも２種類の外部記録媒体が装着されるデジタルカメラにおいて、動画像を記録するとき前記２種類の外部記録媒体のうち消費電力の小さい方の外部記録媒体に動画像の記録を行い該外部記録媒体の記録データが所定容量以上になったとき該外部記録媒体の前記記録データを消費電力の大きい方の外部記録媒体に移動し消費電力の小さい方の前記外部記録媒体に動画像の記録を継続する制御手段を搭載したことを特徴とするデジタルカメラ。
【請求項２】
前記記録データの前記移動を行っている最中に撮像された動画像データを内部メモリに一時格納し前記移動が終了した後に該内部メモリの格納データを消費電力の小さい方の前記外部記録媒体に移動し撮影を継続することを特徴とする請求項１に記載のデジタルカメラ。
【請求項３】
前記移動を行う場合にデジタルカメラ駆動用のバッテリ電圧が所定電圧値以下のとき該移動を止めると共に撮影を停止することを特徴とする請求項１に記載のデジタルカメラ。
【請求項４】
前記移動を行う場合に移動元の記録データの容量が移動先の消費電力の大きい方の外部記憶媒体の空き容量より大きいとき該移動を止めると共に撮影を停止することを特徴とする請求項１に記載のデジタルカメラ。
【請求項５】
消費電力の異なる少なくとも２種類の外部記録媒体が装着されるデジタルカメラにおいて、動画像を記録するとき前記２種類の外部記録媒体のうち消費電力の小さい方の外部記録媒体に動画像の記録を行い該外部記録媒体の記録データが所定容量になった後に消費電力の大きい方の外部記録媒体に動画像の記録を行う制御手段を搭載したことを特徴とするデジタルカメラ。
【請求項６】
前記消費電力の小さい方の前記外部記録媒体に記録された動画像のデータを撮影動作停止後に前記消費電力の大きい方の前記外部記録媒体に移動させることを特徴とする請求項５に記載のデジタルカメラ。
【請求項７】
一連の動画像を記録し前記外部記録媒体に分割ファイルとして格納された複数の動画像ファイルにファイル間の前後情報を書き込んでおき、再生するとき前記前後情報に基づき各動画像ファイルを撮影順に再生することを特徴とする請求項１乃至請求項６のいずれかに記載のデジタルカメラ。
【発明の詳細な説明】
【０００１】
【発明の属する技術分野】
本発明は動画撮影が可能なデジタルカメラに係り、特に、記録媒体として消費電力の異なる複数種類の外部記録媒体を装着可能なデジタルカメラに関する。
【０００２】
【従来の技術】
デジタルスチルカメラやデジタルビデオカメラ等のデジタルカメラで動画を撮影する場合、着脱可能な外部記録媒体として大容量のものが使用される。大容量記録媒体には、小型ハードディスクやマイクロドライブ，ビデオテープ等があるが、これらは駆動モータを搭載しているため消費電力が大きく、デジタルカメラのバッテリ電圧が所定値以下に低下すると、動画を撮影できなくなってしまうという問題がある。
【０００３】
そこで、下記特許文献１の従来技術では、バッテリ電圧が所定電圧以下に低下したとき、消費電力の大きい外部記録媒体への動画記録を止め、消費電力の小さいデジタルカメラの内部メモリに動画情報を記録するようにしている。
【０００４】
【特許文献１】
特開平０８―３１７３２６号公報。
【０００５】
【発明が解決しようとする課題】
上述した従来技術の様に、バッテリ電圧の値に応じて動画情報を記録する記録媒体を選択することで、消費電力を抑制することができる。しかし、一般的に内部メモリの記憶容量は小さいため、記録開始から大容量記録媒体に動画情報を記録し、バッテリ電圧が所定電圧以下に低下してから記録先メディアを切り替えて内部メモリに動画情報を記録する様にしても、消費電力の抑制効果は小さく、また、記録を継続できる時間も短いという課題がある。
【０００６】
本発明の目的は、消費電力の大きい記憶媒体の動作時間を短縮して電力消費を抑制することができるデジタルカメラを提供することにある。
【０００７】
【課題を解決するための手段】
本発明のデジタルカメラは、消費電力の異なる少なくとも２種類の外部記録媒体が装着されるデジタルカメラにおいて、動画像を記録するとき前記２種類の外部記録媒体のうち消費電力の小さい方の外部記録媒体に動画像の記録を行い該外部記録媒体の記録データが所定容量になったとき該外部記録媒体の前記記録データを消費電力の大きい方の外部記録媒体に移動し消費電力の小さい方の前記外部記録媒体に動画像の記録を継続する制御手段を搭載したことを特徴とする。
【０００８】
この構成により、消費電力の大きい外部記録媒体を間欠的に動作させ常時動作状態とはしないため、デジタルカメラの消費電力を低減でき、撮影時間を延ばすことが可能となる。
【０００９】
本発明のデジタルカメラは、前記記録データの前記移動を行っている最中に撮像された動画像データを内部メモリに一時格納し前記移動が終了した後に該内部メモリの格納データを消費電力の小さい方の前記外部記録媒体に移動し撮影を継続することを特徴とする。
【００１０】
この構成により、動画像を途切れることなく外部記録媒体に記録することが可能となる。
【００１１】
本発明のデジタルカメラは、前記移動を行う場合にデジタルカメラ駆動用のバッテリ電圧が所定電圧値以下のとき該移動を止めると共に撮影を停止することを特徴とする。
【００１２】
この構成により、バッテリ電力不足のときに消費電力の小さい方の外部記録媒体に記録された記録データを残すことが可能となる。
【００１３】
本発明のデジタルカメラは、前記移動を行う場合に移動元の記録データの容量が移動先の消費電力の大きい方の外部記憶媒体の空き容量より大きいとき該移動を止めると共に撮影を停止することを特徴とする。
【００１４】
この構成により、メモリ容量不足のときに消費電力の小さい方の外部記録媒体に記録された記録データを残すことが可能となる。
【００１５】
本発明のデジタルカメラは、消費電力の異なる少なくとも２種類の外部記録媒体が装着されるデジタルカメラにおいて、動画像を記録するとき前記２種類の外部記録媒体のうち消費電力の小さい方の外部記録媒体に動画像の記録を行い該外部記録媒体の記録データが所定容量になった後に消費電力の大きい方の外部記録媒体に動画像の記録を行う制御手段を搭載したことを特徴とする。
【００１６】
この構成により、消費電力の大きい外部記録媒体と消費電力の小さい外部記録媒体とが同時に動作することがないため、動作に必要な電力がバッテリ供給電力を超えることがない。
【００１７】
本発明のデジタルカメラは、前記消費電力の小さい方の前記外部記録媒体に記録された動画像のデータを撮影動作停止後に前記消費電力の大きい方の前記外部記録媒体に移動させることを特徴とする。
【００１８】
この構成により、一連の動画像ファイルが常に一方の外部記録媒体に集められるため、動画像ファイルの管理が容易となる。
【００１９】
本発明のデジタルカメラは、一連の動画像を記録し前記外部記録媒体に分割ファイルとして格納された複数の動画像ファイルにファイル間の前後情報を書き込んでおき、再生するとき前記前後情報に基づき各動画像ファイルを撮影順に再生することを特徴とする。
【００２０】
この構成により、動画像ファイルの再生順が撮影時間順となる。
【００２１】
【発明の実施の形態】
以下、本発明の一実施形態について、図面を参照して説明する。
【００２２】
（第１の実施形態）
図１は、本発明の第１の実施形態に係るデジタルカメラの構成図である。このデジタルカメラは、フォーカスレンズ１や絞り２等で成る光学系３と、光学系３の背部に設置されたＣＣＤやＣＭＯＳイメージセンサ等の固体撮像素子４と、固体撮像素子４から出力されるアナログ画像信号を取り込み相関二重サンプリング処理（ＣＤＳ）等を行うアナログ信号処理部５と、アナログ信号処理部５から出力されるアナログ画像信号をデジタル画像信号に変換するアナログ／デジタル（Ａ／Ｄ）変換器６と、Ａ／Ｄ変換器６の出力を一時格納するバッファメモリ７とを備える。
【００２３】
デジタルカメラは更に、デジタルカメラ全体を統括制御するメインＣＰＵ１０と、このＣＰＵ１０が接続されたバス１１と、バス１１に接続され上記のバッファメモリ７から出力されるデジタル画像信号を取り込んでガンマ補正やホワイトバランス補正処理等を行うデジタルシグナルプロセッサ（ＤＳＰ）でなるデジタル信号処理部１２と、バス１１に接続される内部メモリ１３および圧縮伸張部１４と、同じくバス１１に接続されるドライバ１６とを備える。
【００２４】
デジタルカメラは、更に、メインＣＰＵ１０との間で通信を行いメインＣＰＵ１０からの指令信号を受けて光学系３を制御すると共に測光や測距を行う測光測距用ＣＰＵ２０と、ＣＰＵ２０からの指令を受けて充電発光制御を行う制御部２１と、制御部２１からの制御信号を受けて発光するフラッシュランプ２２と、ＣＰＵ２０の指令を受けて固体撮像素子４とアナログ信号処理部５とＡ／Ｄ変換器６に動作クロックを供給するクロックジェネレータ２３とを備える。
【００２５】
本実施形態に係るデジタルカメラは、更に、商用電源に接続され商用電源からの交流電圧を直流に変換しデジタルカメラの各構成部に電力供給を行うＡＣ電源部２５と、ＡＣ電源部２５により充電され商用電源非接続時に充電電力を各構成部に供給する電池（バッテリ）電源部２６と、ドライバ１６によって駆動されデジタル画像信号（スルー画像情報や記録済み画像情報）を表示するカメラ背面等に設置された画像表示用表示部（例えば液晶表示部）２７と、デジタルカメラの動作プログラムを格納したメモリ２８と、メインＣＰＵ１０にユーザ指令を入力するレリーズスイッチ２９を含む操作部３０と、操作部３０からの操作指令等を表示する操作用表示部３１と、バス１１に接続され外部との通信を行う通信ポート３２とを備える。
【００２６】
更に本実施形態に係るデジタルカメラは、バス１１に接続され、メモリコントロール等を行うＩＦ部１５を備える。このＩＦ部１５には、複数の外部スロットが接続され、各外部スロットに、夫々外部記録媒体であるメモリカード３５（以下、メモリカードＡという。），３６（以下、メモリカードＢという。）が装着される。
【００２７】
メモリカードＡ，Ｂには、固体撮像素子４によって撮像されデジタル信号処理部１２によって信号処理され、圧縮伸張部１４でＪＰＥＧやＭＰＥＧ１，ＭＰＥＧ２，ＡＶＩ形式等の画像データに圧縮された静止画像データや動画像データが格納される。
【００２８】
以下、メモリカードＡ（３５）が消費電力の小さい例えばｘＤカードやスマートメディア等の半導体記録媒体であり、メモリカードＢ（３６）が消費電力の大きい例えばマイクロドライブであるとして説明を続ける。
【００２９】
図２は、本発明の第１の実施形態に係るデジタルカメラにおいて動画像データをメモリカードに記録する手順の概要を示す説明図である。本実施形態では、図２に示す様に、メモリカードＡに動画データを録画し（状態ｎ１）、メモリカードＡが一杯になったとき（状態ｎ２）、このメモリカードＡの格納データをメモリカードＢに移動して（状態ｎ３）メモリカードＡを空にし（状態ｎ４）、再びメモリカードＡに動画データを録画する（状態ｎ５）こととしている。
【００３０】
この場合、メモリカードＡの録画データをメモリカードＢに移動している間も動画記録を継続する必要があるため、メモリカードＡが一杯になったことを検出し（状態ｎ２）、メモリカードＢに録画データを移動し（状態ｎ３）、メモリカードＡの格納データを消去（状態ｎ４）している間、これと並行して、内部メモリ１３に動画データを録画し（状態ｎ６）、メモリカードＡを空にした（状態ｎ４）後、メモリカードＡへ動画記録を行う（状態ｎ５）と共に同時並行的に内部メモリ１３に格納済みの動画データをメモリカードＡに移動（状態ｎ７）する様にしている。
【００３１】
この様な動作を繰り返すことで、消費電力の大きいメモリカードＢの動作時間を短縮することが可能となる。例えばスマートメディア（図２におけるメモリカードＡ）の消費電力は約３０ｍＷ（３．３Ｖ）であるのに対し、マイクロドライブの消費電力は約８５０ｍＷ（３．３Ｖ）もあるため、マイクロドライブ（図２におけるメモリカードＢ）の動作時間を短縮することで、デジタルカメラ全体の消費電力を大幅に低減することができる。
【００３２】
図３は、本実施形態に係るデジタルカメラにおける動画データの記録手順を示すフローチャートである。この処理プログラムは、デジタルカメラの図１に示す操作部３０の動画撮影開始ボタンが押下されたときメモリ２８（図１）からＣＰＵ１０によって読み出され、実行される。
【００３３】
この記録手順では、先ず、外部スロットに消費電力の異なる複数のメモリカードＡ，Ｂが装着されているか否かが判定される（ステップＳ１）。この判定結果が否定（ＮＯ）の場合には、通常動作を開始する（ステップＳ２）。即ち、メモリカードが一種類しか装着されていない場合にはそのメモリカードへの動画像の記録が行われる。
【００３４】
ステップＳ１の判定結果が肯定（ＹＥＳ）の場合には、次のステップＳ３で、低消費電力のメモリカードＡの容量が、大消費電力のメモリカードＢの容量より小さいか否かが判定される。この判定結果が否定（ＮＯ）の場合には、通常動作を開始する（ステップＳ２）。即ち、メモリカードＡの容量がメモリカードＢの容量よりも大きい場合には、メモリカードＡへの記録動作を行い、以下のデータ移動処理などは行わない。尚、この実施形態では、メモリカードＡの消費電力がメモリカードＢの消費電力より小さいことを前提としているが、消費電力が予め不明の場合には、このステップＳ３で消費電力の比較を行い、この消費電力の判定に加えて、容量比較を行ってもよい。例えば、「消費電力Ａ＜消費電力Ｂ且つ容量Ａ＜容量Ｂ」が否定されたときに通常動作（ステップＳ２）に進む。
【００３５】
ステップＳ３での判定結果が肯定（ＹＥＳ）、即ち、メモリカードＡの容量がメモリカードＢの容量よりも小さい場合には、ステップＳ４に進み、動画像の記録先メディアとしてメモリカードＡを設定する。そして、動画像の撮影を開始する（ステップＳ５）。
【００３６】
撮影を開始した後、次のステップＳ６では、動画像を録画しているメモリカードＡが一杯になったか否かを判定する。一杯になったか否かは、例えばメモリカードＡの容量に対して記録データの容量が予め定めた所定割合（例えば９５％）以上になったか否かで判定する。この判定結果が否定（ＮＯ）の場合には、ステップＳ１０に飛び、ユーザが操作部３０の撮影停止ボタンを押下したか否かを判定する。ユーザが撮影停止ボタンを押下した場合には、ステップＳ１１に進み、撮影を停止し、この処理を終了する。
【００３７】
撮影停止ボタンが押下されずに撮影が継続されている場合には、ステップＳ１０からステップＳ６に戻り、再びメモリカードＡが一杯になったか否かを判定する。メモリカードＡが一杯になった場合には、ステップＳ６からステップＳ７に進み、メモリカードＡに格納された動画像データの容量が、メモリカードＢの空き容量より小さいか否かが判定される。即ち、メモリカードＡの動画像データをメモリカードＢに移す空き領域が存在するか否かを判定する。
【００３８】
このステップＳ７の判定結果が否定（ＮＯ）すなわちメモリカードＢに十分な空き領域が存在しない場合には、ステップＳ１１に飛び、ユーザが撮影停止ボタンを押下しなくても、撮影を停止し、この処理を終了する。
【００３９】
ステップＳ７の判定結果が肯定（ＹＥＳ）すなわちメモリカードＢに十分な空き領域が存在する場合には、次にステップＳ８で、バッテリ電圧が所定電圧以上であるか否かを判定する。即ち、メモリカードＢを起動しメモリカードＡの録画データを移すに必要な電力がバッテリ２６（図１）に残っているか否かを判定する。バッテリ電力が少ない場合（ステップＳ８の判定結果が否定（ＮＯ））には、ステップＳ１１に進み、メモリカードＡの録画データをメモリカードＢに移さずに、更に、これ以上の撮影の続行ができないため、撮影を停止して、この処理を終了する。
【００４０】
ステップＳ８でバッテリ電力が十分に残っていると判定された場合（判定結果が肯定（ＹＥＳ））には、ステップＳ９の処理、即ち、図２で説明したデータの移動処理を行う。そして、ステップＳ１０で撮影停止ボタンが押下されたか否かを判定し、押下されていない場合にはステップＳ６に戻り、押下された場合にはステップＳ１１に進み、この処理を終了する。
【００４１】
以上により、消費電力の小さいメモリカードＡへ動画像データの記録を繰り返し行い、メモリカードＡの録画データをメモリカードＢに移すときのみ大消費電力のメモリカードＢを起動するため、節電効果が大きくなり、バッテリを長持ちさせることが可能となる。
【００４２】
図４は、上述した記録動作によって生成されメモリカードＡまたはメモリカードＢに格納された動画像データのファイル構成を示す図である。図２，図３で説明したように、本実施形態では、一連の動画像データが一つのデータとして生成されるのではなく、メモリカードＡに一旦格納された動画像データの部分データがメモリカードＢに移動される構成のため、一連の動画像データが複数の分割ファイルとして生成されメモリカードに格納される。
【００４３】
また、動画像データは、全てメモリカードＢに格納されるのではなく、メモリカードＡに動画像データを記録している最中に撮影停止ボタンが押されたり、メモリカードＢの空き領域が無くなったり、バッテリ電力がなくなったりしたときには、メモリカードＡにも動画像データの一部の分割ファイルが残ることになる。
【００４４】
これらの分割された動画像データを読み出して再生する場合、各分割ファイル毎の動画像データを撮影順に再生する必要がある。そこで、本実施形態では、図４に示す様に、動画像データファイルのヘッダ情報として、前後関係を示す接続ファイルアドレス名を記録するようにする。
【００４５】
これにより、図示する例では、分割ファイルＤＳＣＦ００３を最初に読み出したとき、前ファイルが“２００３１２３０９５０１０”の情報を持つファイルであると判断でき、そのヘッダ情報から、ＤＳＣＦ００２が前ファイルであると判断できる。次に同様に、ＤＳＣＦ００２のヘッダ情報から、ＤＳＣＦ００１が前ファイルであることが分かる。ＤＳＣＦ００１では、先頭であることを示す情報（先頭情報コード）が記録されているため、動画像データを再生するときはＤＳＣＦ００１から再生を始めればよいと容易に判断できる。
【００４６】
ＤＳＣＦ００１のファイルを再生した後は、ヘッダ情報を追って、次にＤＳＣＦ００２のファイルを再生し、次にＤＳＣＦ００３のファイルを再生すればよい。また、全ての分割ファイルが同一メモリカード内に移動されたとき、ヘッダ情報に基づき分割ファイルを強制的に連結して１つの動画像データのファイルとすることも可能である。
【００４７】
（第２の実施形態）
次に、本発明の第２の実施形態に係るデジタルカメラを説明する。本実施形態のデジタルカメラの構成は、図１の構成と同じであるが、記録動作手順が異なる。
【００４８】
図５は、本実施形態に係るデジタルカメラにおける動画データの記録手順を示すフローチャートである。この処理プログラムは、デジタルカメラの図１に示す操作部３０の動画撮影開始ボタンが押下されたときメモリ２８（図１）から読み出され、ＣＰＵ１０によって実行される。
【００４９】
この記録手順では、先ず、外部スロットに消費電力の異なる複数のメモリカードＡ，Ｂが装着されているか否かが判定される（ステップＳ２１）。この判定結果が否定（ＮＯ）の場合には、通常動作を開始する（ステップＳ２２）。即ち、メモリカードが一種類しか装着されていない場合にはそのメモリカードへの動画像の記録が行われる。
【００５０】
ステップＳ２１の判定結果が肯定（ＹＥＳ）の場合には、次のステップＳ２３で、低消費電力のメモリカードＡの容量が、大消費電力のメモリカードＢの容量より小さいか否かが判定される。この判定結果が否定（ＮＯ）の場合には、通常動作を開始する（ステップＳ２２）。即ち、メモリカードＡの容量がメモリカードＢの容量よりも大きい場合には、メモリカードＡへの記録動作を行う。
【００５１】
ステップＳ２３での判定結果が肯定（ＹＥＳ）、即ち、メモリカードＡの容量がメモリカードＢの容量よりも小さい場合には、ステップＳ２４に進み、先ず、動画像の記録先メディアとしてメモリカードＡを設定する。そして、動画像の撮影を開始する（ステップＳ２５）。
【００５２】
撮影を開始した後、次のステップＳ２６では、動画像を録画しているメモリカードＡが一杯になったか否かを判定する。この判定結果が否定（ＮＯ）の場合には、ステップＳ２８に飛び、ユーザが操作部３０の撮影停止ボタンを押下したか否かを判定する。
【００５３】
撮影停止ボタンが押下されずに撮影が継続されている場合には、ステップＳ２８からステップＳ２６に戻り、再びメモリカードＡが一杯になったか否かを判定する。メモリカードＡが一杯になった場合には、ステップＳ２６からステップＳ２７に進み、今度は、動画像データの記録先としてメモリカードＢを設定し、動画像の記録を継続する。
【００５４】
次のステップＳ２８で、ユーザが撮影停止ボタンを押下したか否かを判定し、押下していない場合にはステップＳ２６に戻る。この場合には、メモリカードＡは既に一杯のため、ステップＳ２７に進んでメモリカードＢへの記録が継続される。
【００５５】
ユーザが撮影停止ボタンを押下した場合には、ステップＳ２８から次のステップＳ２９に進み、撮影を停止する。そして、次のステップＳ３０で、メモリカードＡに録画されている動画像データをメモリカードＢに移動させ、この処理を終了する。このステップＳ３０における動画像データの移動処理は、デジタルカメラが低消費電力で駆動されている時に行うのが好適である。例えば、画像表示用ＬＣＤ２７（図１）にスルー画像を表示している最中や、再生プレビュー中に行うのがよい。
【００５６】
デジタルカメラでは、記録動作時に最も消費電力が高くなる。このため、大消費電力のメモリカードＢが動作している最中であっても小消費電力のメモリカードが動作していると、バッテリ電源の電力供給量を超えてしまう虞がある。しかし、本実施形態では、メモリカードＡとメモリカードＢとが同時に動作することがないため、記録中の最大消費電力を抑制することができ、撮影時間を延ばすことが可能となる。
【００５７】
本実施形態では、動画ファイルは、メモリカードＡに記録されその後にメモリカードＢに移動された分割ファイルと、メモリカードＢに直に記録された分割ファイルの２つとなるが、これらの分割ファイルを結ぶ関連情報をヘッダ情報に書き込んでおくことで、メモリカードＢに２つの分割ファイルが格納されたとき自動的に連結することができるのは第１の実施形態と同様である。
【００５８】
また、本実施形態では、図５におけるステップＳ２３の判定処理は必ずしも必要でなく、容量の大小に関わらず、常に、低消費電力側の外部記録媒体（メモリカードＡ）に最初に動画像データを記録することでもよい。
【００５９】
更にまた、本実施形態のフローチャートでは特に処理ステップは設けなかったが、ステップＳ３０で記録データの移動を行う場合に、メモリカードＢの空き容量が不足するときやバッテリ電力不足のときには、記録データの移動を止めてユーザに警告を発する様にするのがよい。
【００６０】
尚、第１の実施形態による記録方法と、第２の実施形態による記録方法のいずれを適用して動画像を撮影するかを、ユーザが操作部３０から指定できるようにすることも可能である。
【００６１】
【発明の効果】
本発明によれば、デジタルカメラの消費電力を低減でき、撮影時間を延ばすことが可能となる。
【図面の簡単な説明】
【図１】本発明の第１の実施形態に係るデジタルカメラの構成図である。
【図２】本発明の第１の実施形態に係るデジタルカメラにおける記録動作の説明図である。
【図３】本発明の第１の実施形態に係るデジタルカメラにおける記録動作手順を示すフローチャートである。
【図４】本発明の第１の実施形態に係るデジタルカメラで記録された動画像データのファイル説明図である。
【図５】本発明の第２の実施形態に係るデジタルカメラにおける記録動作手順を示すフローチャートである。
【符号の説明】
３  光学系
４  固体撮像素子
５  アナログ信号処理部
１０  メインＣＰＵ
１２  デジタル信号処理部
１３  内部メモリ
１５  ＩＦ部
２６  バッテリ電源
２７  画像表示用ＬＣＤ
３５  メモリカードＡ（小消費電力型）
３６  メモリカードＢ（大消費電力型）
【図１】
2004349810.tif 000003
【図２】
2004349810.tif 000004
【図３】
2004349810.tif 000005
【図４】
2004349810.tif 000006
【図５】
2004349810.tif 000007